(57)【特許請求の範囲】
【請求項１】
攻撃性媒体のための２方向カートリッジ弁であって、
入口ポートと出口ポートを有するハウジングと、
このハウジングに装着してあり、パイロット弁部材およびこのパイロット弁部材を開放位置と閉鎖位置との間で移動させる手段を包含するソレノイドと、
前記ハウジングに取り外し自在に装着してあり、前記入口ポートおよび前記出口ポートと連通する主弁座開口を有する主弁座手段と、
開口が設けてあり、この開口から遠位の位置で前記主弁座手段に固定されたガイド手段と、
このガイド手段の前記開口に可動状態で装着した第１部分、パイロット開口およびこのパイロット開口の境界を画するパイロット弁座手段を有し、前記パイロット弁部材が前記閉鎖位置において前記パイロット弁座手段と係合して前記パイロット開口を密閉し、また、前記開放位置において前記パイロット弁座手段から離脱して前記パイロット開口を露出させるようになっている主弁閉鎖手段とを包含し、
この主弁閉鎖手段の第２部分が前記主弁座手段と前記ガイド手段との間に配置してあり、前記主弁閉鎖手段の前記第１部分が前記ガイド手段開口内で自由に移動するときに前記主弁座手段と前記ガイド手段の間で自由に移動できるようになっており、前記第２部分がダイアフラム手段を包含しており、また、前記第２部分が、前記パイロット弁部材が前記閉鎖位置へ動いたときに前記主弁座手段と密封係合して前記主弁座開口を密閉し、前記入口ポートと前記出口ポートの間の流体の流れを阻止する第１位置と、前記パイロット弁部材が前記開放位置にあって前記パイロット弁座手段から離脱したときに前記ダイアフラム手段が前記主弁座手段から離脱して前記主弁座開口を露出させ、前記入口ポートと前記出口ポートの間の流体の流れを許すようになっている第２位置との間で動くことができることを特徴とする２方向カートリッジ弁。
【請求項２】
請求項１記載の２方向カートリッジ弁において、前記ガイド手段が前記主弁座手段に留めてあり、前記主弁閉鎖手段がそれらの間に捕獲されていることを特徴とする２方向カートリッジ弁。
【請求項３】
請求項１記載の２方向カートリッジ弁において、前記主弁閉鎖手段の前記第１部分が、パイロット・ブリード部材と、このパイロット・ブリード部材上において接触しており、前記ダイアフラム手段が前記主弁座手段と係合したときに前記ダイアフラム手段と係合してそれを支持する平坦面を有するバックアップ支持手段とを包含することを特徴とする２方向カートリッジ弁。
【請求項４】
請求項３記載の２方向カートリッジ弁において、さらに、前記パイロット・ブリード部材上に装着したリテナ手段を包含し、このリテナ手段が前記ダイアフラム手段と係合してこのダイアフラム手段および前記バックアップ支持手段を前記パイロット・ブリード部材上に固定する表面を有することを特徴とする２方向カートリッジ弁。
【請求項５】
請求項４記載の２方向カートリッジ弁において、前記主弁座手段が前記入口ポートおよび前記出口ポートと連通する開口を有し、また、前記バックアップ支持手段の直径よりも小さいが、前記リテナ手段の直径よりも大きい直径を有し、前記バックアップ支持手段、ダイアフラム手段、リテナ手段および主弁座手段が同軸となっており、前記リテナ手段が前記主弁座手段開口内に収容されており、前記パイロット弁座手段が前記閉鎖位置にあるときに前記バックアップ支持手段が前記ダイアフラム手段を前記主弁座手段に対して押圧して前記主弁座手段開口を密閉することを特徴とする２方向カートリッジ弁。
【請求項６】
請求項１記載の２方向カートリッジ弁において、さらに、前記主弁閉鎖手段と前記ガイド手段の間に装着してあって前記主弁閉鎖手段を前記第１位置に向かって押圧する手段を包含することを特徴とする２方向カートリッジ弁。
【請求項７】
請求項６記載の２方向カートリッジ弁において、前記ソレノイドが、さらに、前記押圧する手段の対向力よりも大きい力で前記パイロット弁部材を前記パイロット弁座手段に向かって押圧するアーマチャ・スプリング手段を包含することを特徴とする２方向カートリッジ弁。
【請求項８】
請求項１記載の２方向カートリッジ弁において、前記主弁座手段が、前記主弁座開口を取り囲み、前記入口ポートから前記出口ポートへの流れている前記媒体を濾過する半径方向孔を有することを特徴とする２方向カートリッジ弁。
【請求項９】
請求項８記載の２方向カートリッジ弁において、前記孔が前記主弁座開口まわりに半径方向に配置してあることを特徴とする２方向カートリッジ弁。
【請求項１０】
請求項９記載の２方向カートリッジ弁において、前記孔が半径方向に向いた主寸法を有するスロットの形状となっていることを特徴とする２方向カートリッジ弁。
【請求項１１】
請求項１記載の２方向カートリッジ弁において、前記主弁閉鎖手段が、剛性の支持手段と、この剛性支持手段に装着した弾性のクッション手段と、前記剛性支持手段に装着してあり、前記リング手段を覆っているダイアフラム手段とを包含することを特徴とする２方向カートリッジ弁。
【請求項１２】
請求項１１記載の２方向カートリッジ弁において、前記クッション手段が、前記主弁座開口の直径よりも大きい外径と、前記主弁座開口の直径よりも小さい内径を有し、前記クッション手段および主弁座開口が同軸であり、それによって、前記クッション手段が前記ダイアフラムを前記主弁座手段と係合するように押圧することを特徴とする２方向カートリッジ弁。
【請求項１３】
入口ポート、出口ポートおよびこれら入口ポート、出口ポートと連通する主弁開口を有するハウジングと、このハウジング上に装着したソレノイドとを有し、このソレノイドがパイロット弁部材とこのパイロット弁部材を開放位置と閉鎖位置との間で移動させる手段とを包含する弁において、パイロット開口およびこのパイロット開口の境界を画するパイロット弁座手段を有する主弁閉鎖手段を包含する交換可能な弁密閉カートリッジを包含し、前記パイロット開口が前記閉鎖位置において前記パイロット弁座手段と係合する前記パイロット弁部材によって密閉されて前記主弁閉鎖手段をして前記主弁開口を密閉させるようになっており、前記開放位置において前記パイロット弁部材が前記パイロット弁座手段から離脱したときに露出して前記主弁閉鎖手段をして前記主弁閉鎖手段から離脱させ、前記パイロット開口を露出させるようになっており、主弁座手段が主弁座開口と開口を設けたガイド手段とを有し、このガイド手段が前記開口から遠位の位置で前記主弁座手段上に固着してあり、前記主弁閉鎖手段が、前記ガイド手段の前記開口内に可動状態で装着された第１部分と、前記ガイド手段と前記主弁座手段の間に捕獲されており、前記主弁閉鎖手段の部分が前記開口内で自由に動くときに前記ガイド手段と前記主弁座手段の間で自由に動くことができ、前記ガイド手段がそれに相対的な前記主弁閉鎖手段の軸線方向移動は許すが、半径方向移動は阻止するようになっており、前記主弁閉鎖手段が前記パイロット開口が密閉されたときに前記主弁座手段と係合して前記主弁座開口を密閉するダイアフラム手段を包含することを特徴とする弁。
【請求項１４】
請求項１３記載の交換可能な弁密閉カートリッジにおいて、前記主弁閉鎖手段が、さらに、前記パイロット弁座手段上に装着したバックアップ支持手段を包含し、このバックアップ支持手段が前記ダイアフラム手段が前記主弁座手段と係合しているときに前記ダイアフラム手段と係合してそれを支持する平坦面を有することを特徴とする交換可能な弁密閉カートリッジ。
【請求項１５】
請求項１４記載の交換可能な弁密閉カートリッジにおいて、さらに、前記パイロット弁座手段上に装着したリテナ手段を包含し、このリテナ手段が前記ダイアフラム手段と係合して前記ダイアフラム手段および前記バックアップ支持手段を前記パイロット弁座手段上に保持する表面を有することを特徴とする交換可能な弁密閉カートリッジ。
【請求項１６】
請求項１３記載の交換可能な弁密閉カートリッジにおいて、さらに、前記主弁閉鎖手段と前記ガイド手段の間に装着してあって前記主弁閉鎖手段を前記主弁座開口から離れるように押圧する手段を包含することを特徴とする交換可能な弁密閉カートリッジ。
【請求項１７】
請求項１３記載の交換可能な弁密閉カートリッジにおいて、前記主弁座手段が、前記主弁座開口を取り囲み、前記入口ポートから前記出口ポートへ流れる前記媒体を濾過する半径方向孔を有する交換可能な弁密閉カートリッジ。
【請求項１８】
請求項１７記載の交換可能な弁密閉カートリッジにおいて、前記孔が前記主弁座開口まわりに半径方向に配置してあることを特徴とする交換可能な弁密閉カートリッジ。
【請求項１９】
請求項１８記載の交換可能な弁密閉カートリッジにおいて、前記孔が半径方向に向いた主寸法を持つスロットの形をしていることを特徴とする交換可能な弁密閉カートリッジ。
【請求項２０】
請求項１３記載の交換可能な弁密閉カートリッジにおいて、前記主弁閉鎖手段が、剛性の支持手段と、この剛性支持手段に装着した弾性のクッション手段と、前記支持手段に装着してあり、前記弾性クッション手段を覆っているダイアフラム手段とを包含することを特徴とする交換可能な弁密閉カートリッジ。
【請求項２１】
請求項２０記載の交換可能な弁密閉カートリッジにおいて、前記クッション手段が、前記主弁座開口の直径よりも大きい外径と、前記主弁座開口の直径よりも小さい内径を有し、前記クッション手段および主弁座開口が同軸であり、それによって、前記クッション手段が前記ダイアフラムを前記主弁座手段と係合するように押圧することを特徴とする交換可能な弁密閉カートリッジ。
【発明の詳細な説明】
【０００１】
【発明の背景】
本発明は、攻撃性媒体からなるかあるいはそれを含有する流体の流れを制御するのに使用するための、特に水蒸気環境（たとえば、皿洗い器、洗濯機および滅菌器）で有用なダイアフラム弁に関する。一層詳しくは、本発明は、水蒸気環境で摩耗に耐え、容易かつ安価に交換できるモジュラー弁ダイアフラム・弁座カートリッジに向けたものである。
【０００２】
ダイアフラムをソレノイドで動かして主弁座におけるオリフィスを開放、密閉するダイアフラム弁を使用することは公知である。軽量かつ融通性を維持するには、弁ダイアフラムが比較的薄いことが望ましい。しかしながら、ダイアフラムの寿命は、脆性が高まったり、圧力下に置かれたときに、たとえば、ダイアフラムが弁座に対して押圧されたときに押し出される傾向により、薄ければ薄いだけ短くなる。さらに、流量を弁によって制御される流体の攻撃性により、パイロット弁座および主弁座の摩耗、腐食が加速され、弁組立体全体を交換するには時間がかかり、修復には費用もかかる。
【０００３】
【発明の概要】
従来技術の上記問題は容易かつ安価に交換できる攻撃性媒体用２方向カートリッジ弁を提供する本発明によって解決される。一層詳しくは、本発明は、入口ポートおよび出口ポートを備えたハウジングと、このハウジング上に装着したソレノイドであり、パイロット弁部材およびこのパイロット弁部材を開放位置と閉鎖位置との間で移動させる手段を包含するソレノイドと、ハウジング上に取り外し自在に装着してあり、入口ポートおよび出口ポートと連通する主弁座開口を有する主弁座手段と、この主弁座手段上に固定したガイド手段と、このガイド手段内に可動状態で装着してあり、パイロット開口を有する主弁閉鎖手段とを包含し、パイロット弁部材が閉鎖位置で主弁閉鎖手段と係合してパイロット開口を密閉し、開放位置で主弁閉鎖手段から離脱してパイロット開口を露出させるようになっており、主弁閉鎖手段がダイアフラム手段を包含し、パイロット弁部材が閉鎖位置に移動したときにダイアフラム手段が前記主弁座手段と密閉係合して主弁座開口を密閉し、入口ポートと出口ポートの間の流体の流れを阻止する第１位置と、パイロット弁部材が開放位置にあるときにダイアフラム手段が主弁座手段から離脱して主弁座開口を露出させ、入口ポートと出口ポートの間の流体の流れを許す第２位置との間で主弁閉鎖手段が移動できるようになっている攻撃性媒体用２方向カートリッジ弁を提供する。
【０００４】
一実施例において、パイロット弁座手段はバックアップ支持手段を有し、このバックアップ支持手段はダイアフラム手段およびリテナ手段と係合してダイアフラム手段およびバックアップ支持手段をパイロット弁座手段上に固定する表面を備える。第２実施例において、パイロット弁座は、剛性の支持手段と、この剛性支持手段上に装着した弾性のクッション手段と、支持手段上に装着してあり、弾性クッション手段を覆っているダイアフラム手段とを包含する主弁閉鎖手段上に設けてある。
【０００５】
したがって、本発明の一目的は、腐食環境で用いるに適した弁を提供することにある。
【０００６】
本発明の別の目的は、入口ポートと出口ポートの間の最小限の差圧で開いたり、閉じたりすることのできる弁を提供することにある。
【０００７】
本発明のまた別の目的は、交換の容易なモジュールに納めたパイロット弁座、ダイアフラム密閉部材および主弁座を備えた弁を提供することにある。
【０００８】
本発明のさらに別の目的は、交換容易なモジュール内に納めたパイロット弁座、ダイアフラム密閉部材および主弁座を備え、制御した流体を濾過して汚染物の通過を阻止する弁を提供することにある。
【０００９】
本発明のまたさらに別の目的は、高圧環境に耐えることのできるダイアフラムを備えた弁を提供することにある。
【００１０】
本発明の他のさらなる目的は、本発明の好ましい実施例を示す添付図面および以下の説明（同様の参照符号を同様の部分を示すのに用いている）から明らかとなろう。また、主弁閉鎖手段は「第１部分」と「第２部分」を備える。「第１部分」は、ガイド手段の開口に可動状態で装着してあり、第一位置において、パイロット・ブリード部材と接触している。第２部分は、ダイアフラム手段を包含する手段であって、パイロット弁部材が閉鎖位置へ動いたときに主弁座手段と密封係合して主弁座開口を密閉する。
【００１１】
【好ましい実施例の説明】
まず、添付図面の図１、２、３を参照して、ここには、通常閉の２方向ソレノイド弁１が示してあり、図１は閉じた状態を、図２は開いた状態を示している。弁１は、入口ポート４および出口ポート６を設けた本体３を備えた主ハウジング２と、カバー８とを有する。入口ポート４および出口ポート６は主ハウジング２の本体３に形成してある。
【００１２】
ソレノイド弁１は磁性材料のヨーク（図示せず）と、アーマチャ・ガイドとして作用するコア・チューブ１３を取り囲む電気コイル（図示せず）とを包含するアクチュエータを有する。ソレノイドのコア・チューブ１３は主ハウジングのカバー８に設けた中央開口内に装着してある。コア・チューブ１３内には軸線方向に往復動できるアーマチャ１５がある。アーマチャ１５の下端には弾性のパイロット弁部材１６が装着してある。
【００１３】
磁性材料のプラグ・ナット１７の形をした磁極片がアーマチャ・ガイド１３の上部に固定してある。アーマチャ１５は円筒形のめくら孔１９を有し、この中にプラグ・ナット１７と係合する自由端を有するコイル・スプリング２１が配置してある。スプリング２１は、通常は、アーマチャ１５をパイロット・ブリード部材２２に向かって、すなわち、弁１の通常閉位置に向かって押圧しており、この閉位置において、弁部材１６が図１でわかるようにパイロット・ブリード部材２２の開口を密閉する。
【００１４】
パイロット・ブリード部材２２は、底部カバー２５に装着したダイアフラム頂部カバー２４内に可動状態に装着してある。この頂部カバー２４は、それの周縁および底部カバー２５の周縁でかしめあるいは溶接によって底部カバー２５に恒久的に取り付けてある。頂部カバー２４の中央孔はパイロット・ブリード部材２２のガイドとして作用する。パイロット・ブリード部材２２は頂部カバー２４の中央孔の直径にほぼ等しい外周長を備えた円筒形の大径部分３２を有し、頂部カバー２４に相対的なパイロット・ブリード部材２２の軸線方向移動を許すだけの間隙をパイロット・ブリード部材２２と頂部カバー２４の間に与え、相対的な半径方向移動を阻止するようになっている。
【００１５】
截頭円錐形のパイロット弁座２６がパイロット・ブリード部材２２と同軸に一体に設けてあり、そこから上方へ延びている。パイロット・ブリード部材２２の中心軸線を貫く円筒形の孔がパイロット弁座２６の中央パイロット開口と連通している。
【００１６】
パイロット・ブリード部材２２の円筒形外壁には溝２８が設けてあり、この溝は下方に弓なりにされ、両端が頂部カバー２４の頂面と係合して図１〜３で見て上方へパイロット・ブリード部材２２を押圧しているリーフ・スプリング３０を受け入れている。リーフ・スプリング３０の加える上向きの力はコイル・スプリング２１によって加えられる力よりも小さい。
【００１７】
パイロット・ブリード部材２２の円筒形大径部分３２から下方へ円筒形小径部分３４が延びており、この小径部分３４は円筒形大径部分３２の外径よりも小さい外径を有し、また、パイロット・ブリード部材２２の円筒形大径部分３２の孔の直径よりも大きい直径を有する円筒形の内孔を有する。
【００１８】
パイロット・ブリード部材２２の円筒形小径部分３４上には、バックアップ・ワッシャ３６と保持ワッシャ４０との間に挟んでダイアフラム３８が装着してある。バックアップ・ワッシャ３６、ダイアフラム３８および保持ワッシャ４０は、それぞれ、パイロット・ブリード部材２２の円筒形小径部分３４の外径にほぼ等しい内径の中央孔が形成してある。バックアップ・ワッシャ３６、ダイアフラム３８および保持ワッシャ４０をパイロット・ブリード部材２２の円筒形小径部分３４に固定した後、円筒形小径部分３４の端を公知のようにフレア加工してバックアップ・ワッシャ３６、ダイアフラム３８および保持ワッシャ４０がパイロット・ブリード部材２２から外れるのを防ぐ。
【００１９】
底部カバー２５は弁１用の主弁座となるものであり、保持ワッシャ４０の外径よりも大きいが、ダイアフラム３８よりは小さい直径の中央主弁座孔を有する。頂部カバー２４は、図面で見て、全体的に下方にくぼんでおり、底部カバー２５は全体的に上方にくぼんでおり、パイロット・ブリード部材２２およびダイアフラム３８を限られた軸線方向往復動を許しながら捕獲したカートリッジ２７のハウジングを形成している。
【００２０】
底部カバー２５の中央開口を取り囲んで円形の隆起２９が設けてあり、この隆起は底部カバー２５の上面から立ち上がり、弁１の主弁座として作用する。主弁座の全周に沿って間隔をおいて半径方向のスロット３１が設けてあり、弁１が開いているときに入口ポート４と出口ポート６の間を流れる流体から沈殿物その他の不純物を除去するようになっている。それ故、底部カバー２５は主弁座としても弁１のフィルタとしても作用する。底部カバー２５の開口を取り囲んで円筒形の壁２３が底部カバー２５の下面から下方に延びている。
【００２１】
ダイアフラム３８の半径はバックアップ・ワッシャ３６および保持ワッシャ４０の半径よりも大きくなっており、ダイアフラム３８の外周を受け入れて、相互に留められた頂部カバー２４、底部カバー２５の最外周縁に隣接して頂部カバー２４と底部カバー２５の間の狭い開口内に保持することができる。
【００２２】
パイロット・ブリード部材２２、リーフ・スプリング３０、頂部カバー２４、バックアップ・ワッシャ３６、ダイアフラム３８、保持ワッシャ４０および底部カバー２５を含んだカートリッジ２７は、出口ポート６の上方で弁１のハウジングの本体３の頂部に着座し、底部カバーの円形壁２３が出口ポートに入っている。底部カバー円形壁２３の外径と出口ポート６に通じる開口の内径はほぼ等しくなっていて主ハウジング本体３に相対的なカートリッジ２７の半径方向移動を阻止するようになっている。
【００２３】
弾性のある圧縮可能なＯリング３５が底部カバー２５の下面と主ハウジング本体３の間で出口ポート６まわりに装着してあり、カートリッジ２７と主ハウジング２の本体３の間に流体漏洩防止シールを形成している。別の弾性のある圧縮可能なＯリング３３が主ハウジングカバー８と頂部カバー２４の外周の間に装着してあって本体３と主ハウジングカバー８との間に流体漏洩防止シールを形成している。Ｏリング３３は本体３内にカートリッジ２２を保持してもいる。
【００２４】
カートリッジ２７は、弁の主ハウジングカバー８を主ハウジング本体３から取り外し、外側のＯリング３３を取り外し、カートリッジ２７を出口ポート６から持ち上げるだけで弁１から取り外し、交換することができる。交換用のカートリッジは出口ポート６上に置き、新しい外側のＯリング３３をカートリッジの頂部カバー２４の縁上に置き、次に、主ハウジングカバー８を主ハウジング本体３に留める。
【００２５】
使用にあたっては、図１〜３の弁１は次のように作動する。図１に示すように、通常閉の弁１はその閉鎖位置にあり、コイル（図示せず）が消勢されると、アーマチャ１５がコイル・スプリング２１によって下方へ押圧され、その結果、弁部材１６がカートリッジ２７のパイロット・ブリード部材２２と密閉係合する。コイル・スプリング２１の力はリーフ・スプリング３０の対向力よりも大きいので、パイロット・ブリード部材２２はその最下方位置へ押圧され、ダイアフラム３８がカートリッジ２７の底部カバー２５にある主弁座、すなわち、円形隆起２９と密閉係合し、保持ワッシャ４０が主弁座開口内に受け入れられる。
【００２６】
弁１を開こうとするときには、コイルの付勢時にプラグ・ナット１７に加えられる磁力がコイル・スプリング２１の力に打ち勝ち、アーマチャ１５を図２に示す位置へ上昇させ、それによって、弁部材１６をパイロット・ブリード部材２２から離れるように持ち上げ、パイロット弁座２６の開口を露出させる。パイロット弁座２６の開口が露出すると、ダイアフラム３８まわりの領域と出口ポート６の間の圧力が等しくなる。
【００２７】
入口ポート４内の圧力が出口ポート６内の圧力を超えると、ダイアフラム３８に加わる正味の上向きの力がダイアフラム３８およびパイロット・ブリード部材２２を持ち上げ、主弁座の開口を入口ポート４に露出させ、入口ポート４の流体が出口ポート６に流れるのを許す。弁１を横切る圧力低下が非常に低い場合でも、ダイアフラム３８はリーフ・スプリング３０によってなお上方へ押圧されて弁１を開く。
【００２８】
弁１を通る流体の流れを止めようとするときには、コイルを消勢する。これにより、コイル・スプリング２１がアーマチャ１５および弁部材１６を押圧してパイロット・ブリード部材２２と係合させ、まず、パイロット弁座２６の開口を密閉し、その後、ダイアフラム３８を押圧して円形隆起２９のところで主弁座と係合させる。
【００２９】
次に図４、５を参照して、ここには、高温環境、たとえば、水蒸気の流れを制御しようとしている環境に特に適した本発明の第２実施例が示してある。
【００３０】
図４、５の弁１’は図１〜３の弁１とほぼ同一であり、カートリッジ２７’についてのみ異なっている。カートリッジ２７’は頂部カバー２４’と底部カバー２５’を有する。底部カバー２５’は図１〜３の実施例の底部カバー２５とほぼ同じである。主ディスク３６’は段付きの直径を有し、上面に高くなった円形の軌道を有し、下面に矩形横断面の円形溝２８’を有する。溝２８’内には、テフロン（Teflon）または物理特性で同様の他の弾性材料で作ったリング４１が配置してある。リング４１の下面は主ディスク３６’の半径方向に隣接した領域と同一平面にあり、ダイアフラム３８’のための平坦な支持面を提供する。
【００３１】
リング４１の内半径は主弁座２９’の半径よりも小さく、リング４１の外半径は主弁座２９’の半径よりも小さくなっており、カートリッジ２７’が主ハウジング２’の出口ポート６’上の所定位置にあるとき、弁１’が閉じ、ダイアフラム３８’が主弁座２９’とリング４１の間で圧縮される。リング４１は主弁座２９’に加わるダイアフラム３８’の衝撃を緩衝、吸収し、それによって、特に高圧でのダイアフラム３８’の押し出しを防ぎ、その寿命を延ばす。
【００３２】
パイロット・ブリード部材２２’は円筒形大径部分３２’を有し、この円筒形大径部分３２’の外周長は主ディスク３６’の段つきの円筒形中央孔の最上方直径にほぼ等しい。パイロット・ブリード部材２２’の下端はフレア加工してあり、パイロット・ブリード部材２２’を主ディスク３６’に対して軸線方向に固定している。
【００３３】
頂部カバー２４’は、主ディスク３６’上の高くなった軌道の外径にほぼ等しい直径を有する中央孔を有し、この中央孔はガイドとして作用し、頂部カバー２４’内での主ディスク３６’の往復動を許し、頂部カバー２４’およびこれを留めた底部カバー２５’に関する主ディスク３６’およびダイアフラム３８’の半径方向移動を阻止しながらダイアフラム３８’が主弁座２９’に係合したり、底から離脱したりするのを可能にしている。
【００３４】
図４、５の実施例の機能は図１〜３の実施例とほぼ同様であるが、上述した点でのみ異なっており、これは当業者には明らかであろう。
【００３５】
２つの好ましい実施例を説明してきたが、発明の精神、範囲から逸脱することなく変更、修正をなし得ることは了解されたい。たとえば、通常閉の弁の環境で発明を開示したが、本発明は通常開の弁でも使用できる。
【図面の簡単な説明】
【図１】  本発明の第１実施例による攻撃性媒体用２方向カートリッジ弁を第１位置で示す断面図である。
【図２】  本発明の第１実施例による攻撃性媒体用２方向カートリッジ弁を第２位置で示す断面図である。
【図３】  本発明の第１の好ましい実施例による攻撃性媒体用２方向カートリッジ弁の展開斜視図である。
【図４】  本発明の第２実施例による攻撃性媒体用２方向カートリッジ弁を第１位置で示す断面図である。
【図５】  本発明の第２実施例による攻撃性媒体用２方向カートリッジ弁を第２位置で示す断面図である。
【符号の説明】
１・・・弁
２・・・主ハウジング
３・・・本体
４・・・入口ポート
６・・・出口ポート
８・・・カバー
１３・・・コア・チューブ
１５・・・アーマチャ
１６・・・パイロット弁部材
１７・・・プラグ・ナット
１９・・・めくら孔
２１・・・コイル・スプリング
２２・・・パイロット・ブリード部材
２４・・・頂部カバー
２５・・・底部カバー
２６・・・パイロット弁座
２７・・・カートリッジ
２８・・・溝
３０・・・リーフ・スプリング
３２・・・円筒形大径部分
３３・・・圧縮可能Ｏリング
３４・・・円筒形小径部分
３５・・・圧縮可能Ｏリング
３６・・・バックアップ・ワッシャ
３８・・・ダイアフラム
４０・・・保持ワッシャ
【図１】
0003751672.tif 000002
【図２】
0003751672.tif 000003
【図３】
0003751672.tif 000004
【図４】
0003751672.tif 000005
【図５】
0003751672.tif 000006